(57)【要約】【課題】  カード型記録媒体とコイン型の記録媒体とを１台の装置によって情報処理できるようにし、もって経済性を向上させるとともに使い勝手を向上させる。【解決手段】  媒体投入口４から投入された非接触型ＩＣ媒体Ｚは媒体処理通路１０を径方向に転動し、第１の係止手段１７によって一時的に係止され、アンテナ基板４０を介して情報処理される。情報処理の結果、返却の必要ある媒体Ｚは媒体返却通路２０を径方向に転動させて媒体返却口５から返却される。カード挿入口６からカード収納凹部４２内に収納されたカードＣは、アンテナ基板４０を介して情報処理される。【選択図】  図１
2006065755.tif 000002
【特許請求の範囲】
【請求項１】
アンテナ部が設けられ円板状に形成された非接触型ＩＣ媒体と、この非接触型ＩＣ媒体が投入される媒体投入口と、この媒体投入口から投入された非接触型ＩＣ媒体を径方向に転動させる媒体処理通路と、この媒体処理通路を転動する非接触型ＩＣ媒体を一旦係止する係止手段と、この係止手段によって係止された非接触型ＩＣ媒体に対してアンテナ基板を介して情報処理する情報処理手段と、この情報処理手段によって処理された非接触型ＩＣ媒体を返却する媒体返却通路とを備えた非接触型ＩＣ媒体処理装置において、
前記アンテナ基板を介して情報が処理される非接触型ＩＣカードを収容するカード収容部を設けたことを特徴とする非接触型ＩＣ媒体処理装置。
【請求項２】
請求項１記載の非接触型ＩＣ媒体処理装置において、
前記非接触型ＩＣ媒体を径方向に転動させて１枚ずつ前記媒体処理通路に供給する媒体供給通路と、前記データ処理部によって処理された非接触型ＩＣ媒体を径方向に転動させて収納する媒体収納通路とを設けたことを特徴とする非接触型ＩＣ媒体処理装置。
【発明の詳細な説明】
【技術分野】
【０００１】
本発明は、２つの記録媒体を１つの情報処理部で処理する非接触型ＩＣ媒体処理装置に関するものである。
【背景技術】
【０００２】
従来の非接触型ＩＣ媒体処理装置は、ビジターカードが挿入されるビジターカード収容室と、このビジターカード収容室の側方に設けられ会員カードが挿入される会員カードスロットと、これらビジターカード収容室と会員カードスロットとの間に設けられた通信基板とを備え、これらビジターカード収容室と会員カードスロットとのそれぞれに挿入されたビジターカードと会員カードとが通信基板を介して情報処理されるものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開２００２−３６９９６０号公報（段落「００８７」、図１１および図１２）
【発明の開示】
【発明が解決しようとする課題】
【０００３】
ところで、近年、カード型とは異なる形状の記録媒体としてコイン型の記録媒体が使用されるようになってきており、このコイン型の記録媒体をビジターカードの替わりとして使用し、このコイン型の記録媒体と会員カードとを併用できる非接触型ＩＣ媒体処理装置の実用化が望まれている。しかしながら、上述した従来の非接触型ＩＣ媒体処理装置にコイン型の記録媒体が適用できるようにカード挿入用凹部内にコイン型の記録媒体を収容すると、コイン型の記録媒体がカード挿入用凹部内で径方向に転動しカード挿入用凹部から脱落したり、脱落しないようにカード挿入用凹部を傾斜させると取り出しにくくなるという理由で実用化されていなかった。
【０００４】
本発明は上記した従来の問題に鑑みなされたものであり、その目的とするところは、カード型の記録媒体とコイン型の記録媒体とを１台の装置によって情報処理できるようにし、もって経済性を向上させるとともに使い勝手を向上させることにある。
【課題を解決するための手段】
【０００５】
この目的を達成するために、請求項１に係る発明は、アンテナ部が設けられ円板状に形成された非接触型ＩＣ媒体と、この非接触型ＩＣ媒体が投入される媒体投入口と、この媒体投入口から投入された非接触型ＩＣ媒体を径方向に転動させる媒体処理通路と、この媒体処理通路を転動する非接触型ＩＣ媒体を一旦係止する係止手段と、この係止手段によって係止された非接触型ＩＣ媒体に対してアンテナ基板を介して情報処理する情報処理手段と、この情報処理手段によって処理された非接触型ＩＣ媒体を返却する媒体返却通路とを備えた非接触型ＩＣ媒体処理装置において、前記アンテナ基板を介して情報が処理される非接触型ＩＣカードを収容するカード収容部を設けたものである。
【０００６】
請求項２に係る発明は、請求項１に係る発明において、前記非接触型ＩＣ媒体を径方向に転動させて１枚ずつ前記媒体処理通路に供給する媒体供給通路と、前記データ処理部によって処理された非接触型ＩＣ媒体を径方向に転動させて収納する媒体収納通路とを設けたものである。
【発明の効果】
【０００７】
本発明によれば、１台の媒体処理装置によってコイン型の記録媒体とカード型の記録媒体を処理することができるため使い勝手が向上するというだけではなく、カード処理専用の装置を設置する必要がないから経済性に優れている。
【０００８】
請求項２に係る発明によれば、コイン型の記録媒体の発行機能を設けたことにより使い勝手が向上するというだけではなく、カード発行専用の装置を設置する必要がないから経済性に優れている。
【発明を実施するための最良の形態】
【０００９】
以下、本発明の実施の形態を図に基づいて説明する。図１は本発明に係る非接触型ＩＣ媒体処理装置の側断面図、図２は同じく正面図、図３は図１におけるIII-III 線断面図、図４は図１におけるIV-IV 線断面図、図５は同じく媒体収容容器の断面図で、同図（Ａ）は媒体供給通路に収容する以前の状態を示し、同図（Ｂ）は媒体収納通路から取り外した状態を示す。
【００１０】
図１で全体を符号１で示す非接触型ＩＣ媒体処理装置（以下、単に処理装置という）は、略密閉状態で扁平な箱状に形成された筺体２を備え、この筺体２の前面板３の上下には、図２に示すように、共に上下方向に延在するようにスリット状に形成された媒体投入口４と媒体返却口５とが設けられている。また、前面板３の中央部には、これら媒体投入口４および媒体返却口５よりも矢印Ｂ方向にずれた位置にカード挿入口６が設けられている。７は媒体投入口４の上方に設けられた供給扉であって、施錠、解錠によって後述する媒体供給通路３０の入口３７を開閉する。８は媒体返却口５の下方に設けられた収納扉であって、施錠、解錠によって後述する媒体収納通路２７の出口２７ａを開閉する。符号Ｚで示すものは、非接触型ＩＣ媒体（以下、単に媒体という）であって、真円による円板によって形成されており、中心部にアンテナ部９が内蔵されている。
【００１１】
１０は媒体投入口４に連通する媒体処理通路であって、図中右下がりに傾斜した傾斜通路１１と、この傾斜通路１１の右端部から下方に向かって延設された鉛直通路１２とによって、紙面の表裏方向の隙間が媒体Ｚの厚みよりもわずかに大きく形成されている。傾斜通路１１は第１のレール１３とこの第１のレール１３と媒体Ｚの径よりもわずかに大きい間隔をおいて平行に設けられた第２のレール１４とによって形成されている。鉛直通路１２は、共に上下方向に延在し、媒体Ｚの径よりもわずかに大きい間隔をおいて互いに平行に設けられたスペーサ１５，１６によって形成されている。したがって、媒体投入口４から投入された媒体Ｚは、第１のレール１３上を径方向に転動し、鉛直通路１２内を径方向に落下する。
【００１２】
１７は鉛直通路１２に設けられた第１の係止部材であって、ソレノイド１８の駆動によって鉛直通路１２内に進退するものであって、前進することによって鉛直通路１２内を落下する媒体Ｚを一時的に係止する。１９は第１の係止部材１７に媒体Ｚが係止されているか否かを検出する第１のセンサである。
【００１３】
２０は鉛直通路１２の下端部と連通する媒体返却通路であって、紙面の表裏方向の隙間が媒体Ｚの厚みよりもわずかに大きく形成されており、図中左下がりに傾斜するように形成され、左端に媒体返却口５が設けられている。この媒体返却通路２０は、第３のレール２１とこの第３のレール２１と媒体Ｚの径よりもわずかに大きい間隔をおいて平行に設けられたスペーサ２２とによって形成されている。２３は鉛直通路１２の下端部と媒体返却通路２０の右端部との間に設けられた第２の係止部材であって、図示を省略したソレノイドの駆動によって媒体返却通路２０内に進退するものであって、前進することによって鉛直通路１２から媒体返却通路２０への媒体Ｚの転動を規制する。２４は鉛直通路１２の下端に設けられ、第３のレール２１の一部を形成する第３の係止部材であって、ソレノイド２５の駆動によって鉛直通路１２内に進退するものであって、前進することによって鉛直通路１２から後述する媒体収納通路２７への媒体Ｚの転動を規制する。
【００１４】
２７は鉛直通路１２の下端と連通する媒体収納通路であって、図中左下がりに傾斜し、左端の開口した出口２７ａに上述した収納扉８が設けられている。この媒体収納通路２７は、第３のレール２１とこの第３のレール２１と媒体Ｚの径よりもやや大きい間隔をおいて平行に設けられた第４のレール２８とによって形成されている。２９は媒体収納通路２７内に媒体が満杯になったことを検出する第２のセンサである。
【００１５】
３０は図中右下がりに傾斜した媒体供給通路であって、左端に開口した入口３７に上述した供給扉７が設けられており、右端部が上述した鉛直通路１２に連通している。この媒体供給通路３０は、第１のレール１４とこの第１のレール１４と媒体Ｚの径よりもやや大きい間隔をおいて平行に設けられたスペーサ３１とによって形成されている。３２は媒体供給通路３０と鉛直通路１２との間に設けられ、第１のレール１４の一部を形成する第４の係止部材であって、ソレノイド３３の駆動によって鉛直通路１２内に進退するものであって、前進することによって媒体供給通路３０から鉛直通路１２への媒体Ｚの落下を規制する。３４は図示を省略したソレノイドの駆動によって媒体供給通路３０内に進退する係止ピンであって、媒体供給通路３０内に前進することにより、媒体供給通路３０内に蓄積されている媒体のうち、２枚目以降の転動を一時的に規制する。３０ａは媒体供給通路３０内に供給される媒体が少なくなったことを検出する第３のセンサである。
【００１６】
図５において、３５は複数枚の媒体Ｚを径方向に並べて収容する中空部３６が形成された媒体収容容器であって、左端に中空部３６に連通する開口３７が設けられ、右端部の下方には媒体Ｚの径よりもわずかに大きい幅に形成された開口３８が設けられており、この開口３８に隣接した位置に上述した係止ピン３４が挿通される挿通孔３９が設けられている。この媒体収容容器３５は、開口３８を下側に向けた同図（Ａ）に示した状態で、供給扉７を開くことにより、図１に示すように媒体供給通路３０内に挿入することが可能であり、媒体供給通路３０内に挿入すると開口３８が第４の係止部材３２に対向する。また、この媒体収容容器３５は、開口３８を上側に向けた図５（Ｂ）に示した状態で、収納扉８を開くことにより、図１に示すように媒体収納通路２７内に挿入することが可能であり、媒体収納通路２７内に挿入すると開口３８が第３の係止部材２４に対向する。
【００１７】
図１に便宜上格子状のハッチングを付した部材はアンテナ基板４０であって、このアンテナ基板４０は、図４に示すように鉛直通路１２と後述するカード収納凹部４２とのそれぞれに対向するように設けられている。すなわち、このアンテナ基板４０は、鉛直通路１２内において第１の係止部材１７によって係止された媒体Ｚのアンテナ基板９と無線によって通信を行うことで媒体Ｚに記録されている情報が情報処理手段４１によって処理される。同様に、カード収納凹部４２に収容される非接触型ＩＣカード（以下、単にカードという）Ｃのアンテナ部と無線によって通信を行うことでカードＣに記録されている情報が情報処理手段４１によって処理される。
【００１８】
４３はカード挿入規制用のソレノイドであって、進退自在なシャッタピン４４がカード挿入口６に臨むように設けられている。このソレノイド４３は、第１のセンサ１９によって第１の係止部材１７に媒体Ｚが係止されている状態を検出すると、シャッタピン４４が前進し、このシャッタピン４４によってカードＣのカード収納凹部４２への挿入を規制する。また、このソレノイド４３は、カードＣがカード収納凹部４２内に挿入されてからアンテナ基板９を介して情報処理手段４１によってカードＣの情報処理が終了するまでの間だけシャッタピン４４が前進し、カードＣがカード収納凹部４２から取り出せないようにするためのものである。
【００１９】
次に、このように構成された処理装置１による処理動作について説明する。先ず、媒体Ｚに記録されている情報を処理する場合について説明する。この場合には、第１ないし第４の係止部材１７，２３，２４，３２がすべて通路側に進出した状態になっている。この状態で、媒体投入口４から媒体Ｚが投入されると、投入された媒体Ｚは媒体処理通路１１の第１のレール１３上を径方向に転動し、鉛直通路１２内を径方向に落下し、第１の係止部材１７によって係止される。
【００２０】
係止された媒体Ｚは、アンテナ基板４０と媒体Ｚのアンテナ基板９との間で無線によって通信を行うことで記録されている情報が情報処理手段４１によって処理される。情報が処理された結果、媒体Ｚに記録されている価値情報が残存している場合には、第２の係止部材２３を媒体返却通路２０から退出させる。したがって、第１の係止部材１７が鉛直通路１２から退出することにより、媒体Ｚは鉛直通路１２から媒体返却通路２０内を転動し、媒体返却口５から利用者に返却される。
【００２１】
一方、情報が処理された結果、媒体Ｚに記録されている価値情報が残存していない、いわゆる使用済み媒体となった場合には、第３の係止部材２４を鉛直通路１２から退出させる。したがって、第１の係止部材１７が鉛直通路１２から退出することにより、媒体Ｚは鉛直通路１２から媒体収容容器３５の開口３８を通過して媒体収容容器３５内を転動し、媒体収容容器３５内に収容される。
【００２２】
次に、媒体を発行する場合について説明する。この場合には、予め、媒体供給通路３０内に媒体Ｚが収容されている媒体収容容器３５を収容しておく。センサ１９によって第１の係止部材１７によって媒体Ｚが係止されていないことを検出すると、媒体収容容器３５の挿通孔３９から係止ピン３４が媒体収容容器３５内に進出し、媒体収容容器３５内に収容されている２枚目以降の媒体を係止する。次いで、ソレノイド３３によって第４の係止部材３２が鉛直通路１２から退出するので、媒体収容容器３５内に収容されている１枚目の媒体が鉛直通路１２内を落下し第１の係止部材１７によって係止される。この状態で、アンテナ基板４０と媒体Ｚのアンテナ基板９との間で無線によって通信を行うことで媒体Ｚに所定の価値情報が書き込まれる。書き込みが終了すると、第１の係止部材１７が鉛直通路１２から退出し、第２の係止部材２３が媒体返却通路２０から退出することにより、媒体Ｚは鉛直通路１２から媒体返却通路２０内を転動し、媒体返却口５から発行される。
【００２３】
このように、媒体Ｚの発行に当たって、媒体供給通路３０から第１の係止部材１７への搬送および媒体収容通路２７内への搬送を媒体Ｚの自重による自然落下で搬送するようにしたことにより、搬送手段が不要になるため部品点数の削減と構造の簡素化を図ることができる。また、媒体Ｚを径方向に転動または落下させるようにしたことにより装置における幅方向の薄型化を図ることができる。また、処理装置１に媒体発行の機能を付加したことにより、発行専用機を設ける必要がないため、経済性が向上するとともに使い勝手が向上する。
【００２４】
ここで、第２のセンサ２９によって、媒体収容通路２７内に収容していた媒体収容容器３５内の媒体が満杯になったことが検出されたら、収納扉８を開き、満杯の媒体収容容器３５を取り出し、空の媒体収容容器３５を媒体収容通路２７内に挿入する。また、第３のセンサ３０ａが媒体無しを検出することによって、媒体供給通路３０内に収容していた媒体収容容器３５内の媒体が残り１個になったことが検出されたら、供給扉７を開き、媒体Ｚが残り１個となった媒体収容容器３５を取り出し、媒体Ｚが満杯の状態にある媒体収容容器３５を媒体収容通路２７内に挿入する。このように、媒体収容通路２７内の媒体Ｚの取り出し作業と、媒体供給通路３０内への媒体Ｚの供給作業とを媒体収容容器３５の着脱によって一度に行うことができるため、取り出し作業と供給作業を容易かつ短時間で行うことができる。
【００２５】
次に、非接触型ＩＣカードＣの情報処理について説明する。この場合には、第１のセンサ１９によって第１の係止部材１７に媒体Ｚが係止されている状態が検出されていると、シャッタピン４４が前進しているので、このシャッタピン４４によってカードＣのカード収納凹部４２への挿入が規制される。このように、アンテナ基板９を介して第１の係止部材１７に係止された媒体Ｚとカード収納凹部４２に挿入されたカードＣとを同時に情報処理することがないから、媒体ＺとカードＣとの情報の誤処理を防止することができる。
【００２６】
第１の係止部材１７に媒体Ｚが係止されていない状態のときには、シャッタピン４４が後退しカード挿入口６が開放されているため、カードＣをカード挿入口６からカード収納凹部４２内に挿入する。カードＣがカード収納凹部４２内に挿入されると、ソレノイド４３のシャッタピン４４が前進するため、カードＣの情報処理が行われている最中に故意または誤ってカードＣがカード収納凹部４２から抜き取られることがないから、カードＣの情報の誤処理を防止することができる。カードＣの情報処理が終了すると、ソレノイド４３のシャッタピン４４が後退するため、カードＣをカード挿入口６から抜き取ることができる。
【００２７】
このように、１台の処理装置１によって媒体ＺだけではなくカードＣも処理することができるため使い勝手が向上するというばかりではなく、カード処理専用の装置を設置する必要がないから経済性に優れている。また、アンテナ基板４０のみを媒体処理軌道１１の鉛直通路１とカード収容凹部４２との間に設けたため装置における幅方向の薄型化を図ることができる。
【図面の簡単な説明】
【００２８】
【図１】本発明に係る非接触型ＩＣ媒体処理装置の側断面図である。
【図２】本発明に係る非接触型ＩＣ媒体処理装置の正面図である。
【図３】図１におけるIII-III 線断面図である。
【図４】図１におけるIV-IV 線断面図である。
【図５】本発明に係る非接触型ＩＣ媒体処理装置において、媒体収容容器の断面図で、同図（Ａ）は媒体供給通路に収容する以前の状態を示し、同図（Ｂ）は媒体収納通路から取り外した状態を示す。
【符号の説明】
【００２９】
１…非接触型ＩＣ媒体処理装置、４…媒体挿入口、５…媒体返却口、６…カード挿入口、１０…媒体処理通路、１２…鉛直通路、１７…第１の係止部材、２０…媒体返却通路、２７…媒体収納通路、３０…媒体供給通路、３５…媒体収容容器、４０…アンテナ基板、４２…カード収納凹部、４４…シャッタピン、Ｃ…非接触型ＩＣカード、Ｚ…非接触型ＩＣ媒体。
【図１】
2006065755.tif 000003
【図２】
2006065755.tif 000004
【図３】
2006065755.tif 000005
【図４】
2006065755.tif 000006
【図５】
2006065755.tif 000007